(57)【特許請求の範囲】
【請求項１】
クリップの有する２枚の挟み板の間に第一の対の電極と第二の対の電極を設け、第一の対の電極は、衣服等がこの間に介在するようにクリップ先端近傍に配置され、２枚の挟み板がクリップ先端において閉じる時には、衣服が介在する場合は非導通状態であり、介在しない時は導通状態であり、２枚の挟み板がクリップ先端において開く時には非導通状態であり、第ニの対の電極は、衣服等がこの間に介在できないように配置され、２枚の挟み板がクリップ先端において閉じる時には、非導通状態であり、２枚の挟み板がクリップ先端において開く時には導通状態になることを特徴とする患者動き検出用クリップ。
【請求項２】
第ニの対の電極は、挟み動作において前記２枚の挟み板を動かす支点に関して前記クリップの前記先端とは反対側において、前記２枚の挟み板に向き合って配置されるか、挟み動作において前記２枚の挟み板を動かす支点に関して前記クリップの前記先端とは同じ側において、前記挟み板の一方から前記挟み板の他方を越える延設部を設け、前記挟み板の他方と前記延設部の間に互いに向き合って配置されるようにしたことを特徴とする請求項１記載の患者動き検出用クリップ。
【請求項３】
第一の対の電極と第二の対の電極から引き出すための電線である導電ワイヤに複数の細い線の網線を用いたことを特徴とする請求項１又は請求項２記載の患者動き検出用クリップ。
【請求項４】
第一の対の電極と第二の対の電極の間で導通させるか、又は／及び第一の対の電極と第二の対の電極から引き出すための電線である導電ワイヤを互いに結線することで共通化したことを特徴とする請求項１から請求項３のいずれか一つに記載の患者動き検出用クリップ。
【発明の詳細な説明】
【技術分野】
【０００１】
本発明は、病院や介護施設等で通常では動くことが危険な患者等が動いたことを検出し、ナースコール等に連動して報知するための患者動き検出用の使用されるクリップに関するものである。
【背景技術】
【０００２】
従来のこの種の患者動き検出装置は、患者が動くと患者に取り付けられたクリップが外れるか、クリップに付けられた紐が引かれることでスイッチがはいるという患者動き検出装置が多く提案されている。
特許文献１では、引き抜き方式のナースコールスイッチが提案されている。スイッチを押す代わりに板状体を引き抜くと、スイッチが入るようになっている。
特許文献２では、やはり、棒状体のものが引き抜かれることでナースコールスイッチが入るものであるが、引き抜きの方向によって引き抜きに差異がないような仕掛けをしている。
特許文献３では、やはり板状体を引き抜きすることで、親機のナースコールのスイッチが入るようになっている。簡単な構成で検出が可能であるが、実際の医療現場では、以下の問題が発生してその欠点があることが露見している。
即ち、棒状体または板状体に付いた紐の先には患者の衣服等に取り付けるクリップがあるが、これが先に外れる、患者が外すなどして、患者が動いているにも関わらず棒状体または板状体が引き抜かれることないため、ナースコールのブザーがならないという不具合があり、クリップが外れる又は外したことにも対応する要求がある。図２には、このような要求による患者動き検出装置と図３には、これに使用するクリップを示す。図２では、板状体の引き抜きによるスイッチは示していない。この機能が有する場合もあるが、本願のクリップに関する説明では、本筋ではないので省略する。
【０００３】
先ず、図２と図３を用いて、患者動き検出装置と使用されるクリップについて説明する。
図２は、クリップの装着検出による患者動き検出装置の例を示す図である。
患者動き検出装置は、ナースコールの親機に第一のコネクタ２０１を介して接続されるスイッチ回路２００とクリップ２１０を有している。クリップ２１０は、互いに接触することで電気的導通になる対の電極２１１とこれに繋がる導電ワイヤ２１２があり、これが第二のコネクタ２０２を介して、スイッチ回路２００のメインスイッチ２０３に直列に繋がっている。上記の引き抜きによるスイッチを付ける場合は、導電ワイヤ２１２の接続点２０４に並列に接続する。不使用時にはメインスイッチ２０３を切っておく。使用に際しては、クリップ２１０を患者の衣服に装着して、メインスイッチ２０３を接続状態にする。この状態では、クリップ２１０が衣服についている状態では、クリップ２１０の対の電極２１１は衣服により非導通になる。衣服から外れると導通になるので、クリップ２１０の外れによって患者動きを識別し、親機側で判断出力を行う。
【０００４】
図３は、患者動き検出装置に使用する対の電極を有するクリップを示す図である。
３−Ａにおいて、クリップは、互いに向き合った上挟み板３０１と下挟み板３０２があり、クリップ先端３０３は、衣服等を挟んだ時抜けにくいように突起３０４を有している。はさみ行動を行うためのノブ３０５があって、これが下挟み板３０２から立ち上がった係止片３０６に回転可能に軸支され、ノブ３０５を左回転すると、ノブ３０５についた突出部３０７が上挟み板３０１を下側に押して上挟み板３０１が下がり、クリップ先端３０３が衣服等を挟みこむようになる。上挟み板３０１と下挟み板３０２には各々、互いに向き合った第一の対の電極３０８が備えられているので、衣服等が挟まっている場合は、第一の対の電極３０８間の導通状態は非導通であり、衣服等が挟まってない場合は、導通状態となる。
従って、３−Ａにおいては、挟んだ状態で衣服が抜けてしまった場合は、第一の対の電極３０８間の導通状態は導通状態となる。このクリップは不使用状態では第一の対の電極３０８間が非導通状態であるが、３−Ｂの洗濯バサミタイプのクリップは、不使用状態では第一の対の電極３０８間が導通状態である。第一の対の電極３０８には、導電ワイヤ３０９が備えられ、第二のコネクタ２０２を介して接続点２０４に並列に接続されるものである。
【０００５】
３−Ｂにおいては、よく知られているのでクリップの説明は省略する。
洗濯ばさみ状のクリップに第一の対の電極３０８と導電ワイヤ３０９を備えている。
図３のクリップでは、クリップが衣服から外れたことで、対の電極が導通状態になったことで、患者の動きを検出するが、３−Ａのものでは、クリップを開くと対の電極が非導通から非導通となって、衣服に装着の状態と区別ができない。３−Ｂのものでは、患者が意図的にクリップを開きながらシーツなど他の物を挟んだ場合は、非導通から非導通になるため、衣服から外されたことを検知できない。いずれも、不都合であるため、このようなことにも対応できる対の電極つきクリップが要望される。このような場合に対応するには具体的には、装着状態の非導通から導通になるクリップが必要である。
【先行技術文献】
【特許文献】
【０００６】
【特許文献１】特開２００６−３０５２５９
【特許文献２】特開２００４−３１３３１２
【特許文献３】特許第３６２９１９９号
【発明の概要】
【発明が解決しようとする課題】
【０００７】
本発明の課題は、上記のクリップが外れる、患者が意図的に外すことに対応してこれに対してもナースコールが対応動作をする患者動き検出用のクリップを提供することである。
【課題を解決するための手段】
【０００８】
本発明の患者動き検出用クリップは、衣服が介在する場合は非導通状態であり、介在しない時は導通状態になる、第一の対の電極に加えて、衣服等がこの間に介在できないように配置された第ニの対の電極を有し、これが挟み動作時には非導通状態であり、開き動作には導通状態になることを特徴とする。以下、請求項に沿って説明する。
【０００９】
請求項１記載の発明は、患者動き検出用クリップであって、
クリップの有する２枚の挟み板の間に第一の対の電極と第二の対の電極を設け、第一の対の電極は、衣服等がこの間に介在するようにクリップ先端近傍に配置され、２枚の挟み板がクリップ先端において閉じる時には、衣服が介在する場合は非導通状態であり、介在しない時は導通状態であり、２枚の挟み板がクリップ先端において開く時には非導通状態であり、第ニの対の電極は、衣服等がこの間に介在できないように配置され、２枚の挟み板がクリップ先端において閉じる時には、非導通状態であり、２枚の挟み板がクリップ先端において開く時には導通状態になることを特徴とする。
【００１０】
請求項２記載の発明は、請求項１記載の患者動き検出用クリップにおいて、第ニの対の電極は、挟み動作において前記２枚の挟み板を動かす支点に関して前記クリップの前記先端とは反対側において、前記２枚の挟み板に向き合って配置されるか、挟み動作において前記２枚の挟み板を動かす支点に関して前記クリップの前記先端とは同じ側において、前記挟み板の一方から前記挟み板の他方を越える延設部を設け、前記挟み板の他方と前記延設部の間に互いに向き合って配置されるようにしたことを特徴とする。
【００１１】
請求項３記載の発明は、請求項１又は請求項２記載の患者動き検出用クリップにおいて、第一の対の電極と第二の対の電極から引き出すための電線である導電ワイヤに複数の細い線の網線を用いたことを特徴とする。
【００１２】
請求項４記載の発明は、請求項１から請求項３のいずれか一つに記載の患者動き検出用クリップにおいて、第一の対の電極と第二の対の電極の間で導通させるか、又は／及び第一の対の電極と第二の対の電極から引き出すための電線である導電ワイヤを互いに結線することで共通化したことを特徴とする。
【発明の効果】
【００１３】
以上の様に構成されているので、本発明の患者動き検出用クリップを使用すると、クリップの外れ、意図的なクリップの外しにより、対の電極が導通状態になることで、望まれざる患者自体の取り外しや緩みによるクリップ外れにも対応ができる。
【図面の簡単な説明】
【００１４】
【図１】本発明による患者動き検出用クリップの一実施態様を示す図である。
【図２】クリップの装着検出による患者動き検出装置の例を示す図である。
【図３】患者動き検出装置に使用する対の電極を有するクリップを示す図である。
【発明を実施するための形態】
【００１５】
本発明による患者動き検出用クリップは、クリップの有する２枚の挟み板の間に第一の対の電極と第二の対の電極を設け、第一の対の電極は、衣服等がこの間に介在するように配置され、２枚の挟み板が閉じる（挟み動作）時には、衣服が介在する場合は非導通状態であり、介在しない時は導通状態であり、２枚の挟み板が開く（開き動作）時には、非導通状態であり、第ニの対の電極は、衣服等がこの間に介在できないように配置され、２枚の挟み板が閉じる（挟み動作）時には、非導通状態であり、２枚の挟み板が開く（開き動作）時には導通状態になる。従って、衣服等に正常に装着した状態は、第一の対の電極、第ニの対の電極とも非導通状態、他は、第一の対の電極、第ニの対の電極のどちらかが導通状態になるものである。以下、実施例を用い説明する。
【００１６】
図１は、本発明による患者動き検出用クリップの一実施態様を示す図である。
１−Ａ、１−Ｂにおいて、第一の対の電極１０１については、図３において説明したことと同じであるので、重複説明は省略する。
１−Ａ、１−Ｂとも第ニの対の電極１０２が設けられている。第一の対の電極１０１は、衣服をクリップで挟んだときに、衣服を挟み介在する位置に配置されたが、第ニの対の電極１０２は、衣服を挟み介在することが可能でない位置に配置されている。なお且つ、第ニの対の電極１０２は、クリップを閉じた状態では非導通状態であり、開いた状態では導通状態となる。１−Ｂでは、挟みの先端ではなく図のように後端側に互いに向き合って設けられている。開いたときに後端側の挟み板の間隔が狭くなって、第ニの対の電極１０２が接触し導通状態となる。勿論、１−Ａと同じような構成も可能である。
【００１７】
次に、１−Ａでは、上挟み板１０３には延設部に上側に向いて電極が備えられ、下挟み板１０４から上側に延設した電極保持片１０７にはこの電極と向き合った電極があって、両者が第二の対の電極１０２をなしている。ノブ１０６を右に回転すると、突出部１１７が上挟み板１０３を押さなくなるので、上挟み板１０３は、これについたバネ板の復元により上側に上がって、クリップ先端１０５が開き、挟みこみが解除される。このとき、第二の対の電極１０２は接触して導通状態になる。ノブ１０６に触って患者が意図的に開きクリップ１００を外そうとした場合には、第二の対の電極１０２が導通状態になる。
勿論、通常使用しない状態では、第二の対の電極１０２は接触して導通状態であるため、メインスイッチ２０３を切っておく必要がある。クリップ１００を衣服等に装着してから最後にメインスイッチ２０３を入れることが必要である。以上では、第一の対の電極、第二の対の電極の導電ワイヤは、各々引き出されたものを示したが、第一の対の電極、第二の対の電極のいずれかが導通状態になった場合が、クリップが外れた状態なので、導電ワイヤを共有にすることも可能である。１−Ｃには、そのような一例を示している。
１−Ａと１−Ｂの両方の電極は、同時には導通しないので、上挟み板１０３に付いた電極を接続し、下挟み板１０４に付いた電極と下挟み板１０４から上側に延設した電極保持片１０７に付いた電極を接続して、両者から導電ワイヤ１０８を引き出してもよく、２−Ｃにおいてはそのような配線状態になっている。
１−Ｄと１−Ｅには、１−Ａと１−Ｂのクリップの対の電極間の状態が示されているが、両者とも衣服に正常に装着した状態が対の電極がともに開放（非導通）であり、外した状態は、いずれかが短絡（導通）になることを示している。
【００１８】
尚、導電ワイヤ１０８は、使用時は常に動かされ引っ張られることを繰り返すため、切れることに対する耐久性が特に要求される。このため、導電ワイヤは、１本の線より、細い線の複数本を編み線にしたものを用いることが必要である。
【産業上の利用可能性】
【００１９】
以上のように本発明に係る患者動き検出用クリップでは、クリップの衣服等からの抜け、意図的なクリップの解除をも検出できるので、親機のナースコールを確実に動作させることが可能になるので、産業上利用性が極めて大きい。
【符号の説明】
【００２０】
１００、２１０  クリップ
１０１、３０８  第一の対の電極
１０２  第ニの対の電極
１０３、３０１  上挟み板
１０４、３０２  下挟み板
１０５、３０３  クリップ先端
１０６、３０５  ノブ
１０７  電極保持片
１０８、２１２、３０９  導電ワイヤ
２００  スイッチ回路
２０１  第一のコネクタ
２０２  第二のコネクタ
２０３  メインスイッチ
２０４  接続点
２１１  対の電極
３０４  突起
３０６  係止片
３０７  突出部
【図１】
0005629946.tif 000002
【図２】
0005629946.tif 000003
【図３】
0005629946.tif 000004